(57)【特許請求の範囲】
【請求項１】
シート型ＦＰＣＢの電気的性能検査前段階として、シート型ＦＰＣＢを吸着させる真空吸脱着装置において、
地面に設置される固定フレーム５の上部に備えられ、シート型ＦＰＣＢ２が載置するようにシート型ＦＰＣＢ２の大きさに対応した載置溝１２が形成され、載置溝１２の表面には複数のエアー孔１４が形成される真空チャック１０と、
前記真空チャック１０の下部側に設置され、複数のエアー孔１４を介して載置溝１２上のエアーを吸入して、シート型ＦＰＣＢ２を載置溝１２の表面に吸着させるエアー吸入手段２０と、
前記真空チャック１０の下部側に設置され、複数のエアー孔１４を介して載置溝１２上でエアーを排出して、シート型ＦＰＣＢ２を載置溝１２の表面ではずさせるエアー排出手段３０と、
前記真空チャック１０の側部に設置される距離調節台４２に連結されて、距離調節台４２上で移動する移動体４０と、
前記移動体４０に連結設置されて、真空チャック１０の上部に載置するシート型ＦＰＣＢ２の上部に位置され、複数のエアー排出孔５２が形成されて、シート型ＦＰＣＢ２の上部でエアーを排出しながら順次移動しながらシート型ＦＰＣＢ２を真空チャック１０の載置溝１２に密着させるエアーブロワー５０を含んでなることを特徴とする順次密着できる構造を有するシート型ＦＰＣＢ自動真空吸脱着装置。
【請求項２】
前記真空チャック１０は、セラミック材で形成されることを特徴とする請求項１に記載の順次密着できる構造を有するシート型ＦＰＣＢ自動真空吸脱着装置。
【請求項３】
前記エアー吸入手段２０及びエアー排出手段３０は、真空チャック１０の前記複数のエアー孔１４に連結設置されて、時間差を置いて順次作動するようにすることによって、真空チャック１０の載置溝１２上でシート型ＦＰＣＢ２が順次密着されるように構成することを特徴とする請求項１に記載の順次密着できる構造を有するシート型ＦＰＣＢ自動真空吸脱着装置。
【請求項４】
前記エアー吸入手段２０及びエアー排出手段３０は、一つのホースに連結設置されて選択的に作動することを特徴とする請求項１に記載の順次密着できる構造を有するシート型ＦＰＣＢ自動真空吸脱着装置。
【発明の詳細な説明】
【技術分野】
【０００１】
本発明は、ＰＣＢ自動真空吸脱着装置に関し、特にシート型ＦＰＣＢの検査前段階でシート型ＦＰＣＢが真空チャックに完全密着できるように順次密着させる構造を有するシート型ＦＰＣＢ自動真空吸脱着装置に関する。
【背景技術】
【０００２】
一般にＰＣＢ（ｐｒｉｎｔｅｄ  ｃｉｒｃｕｉｔ  ｂｏａｒｄ）は、電気絶縁性基板に銅等の伝導性材料で回路ラインパターンを形成させたもので、電子部品を実装する直前の基板をいう。
【０００３】
ＰＣＢは、基板材料の種類によってフェノールとエポキシで製作されるリジッド（Ｒｉｇｉｄ）ＰＣＢとポリイミド（Ｐｏｌｙｉｍｉｄ）のように簡単に曲げられる材質で製作されるフレキシブル（Ｆｌｅｘｉｂｌｅ）ＰＣＢ(ＦＰＣＢ)に分かれる。
【０００４】
最近、携帯電話、ＰＤＡ、デジタルカメラ等個人携帯用電子装置が大衆化すると共に、回路特性が安定化され小型及び軽量化されたＰＣＢが個人携帯用電子装置のメイン基板として用いられ、特にＦＰＣＢはフォルダ状の移動通信端末機等において屈曲部位の回路として主に用いられる。
【０００５】
前記ＦＰＣＢに部品が実装されて電子装置に使われるためには、外見、マイクロセクション及び寸法検査、電気的性能検査、機械的性能検査等を要する。
【０００６】
そのうち、電気的性能検査は、ＦＰＣＢに求められる電気的特性を検査するもので、ＦＰＣＢに実装された回路パターンの異常有無判断、電気回路の機能判断等を行う。
【０００７】
前記ＦＰＣＢは、シート型とロール型に区分されるが、従来のシート型ＦＰＣＢを検査台に移動させる前に安着台にシート型ＦＰＣＢを密着させるためにローラ等で作業者が手作業で密着してきた。
前記従来工程でシート型ＦＰＣＢを密着すると、シート型ＦＰＣＢと安着台との間に完全密着状態を成すことが難しくなり、これにより、検査時不良が生じる問題があった。
【発明の概要】
【発明が解決しようとする課題】
【０００８】
本発明の目的は、前記のような従来技術の問題を解決するために発明され、シート型ＦＰＣＢの検査前段階でシート型ＦＰＣＢが真空チャックに完全密着できるように順次密着させる構造を有するシート型ＦＰＣＢ自動真空吸脱着装置を提供することである。
【課題を解決するための手段】
【０００９】
前記目的を実現するために、本発明はシート型ＦＰＣＢの電気的性能検査前段階として、シート型ＦＰＣＢを吸脱着させる真空吸脱着装置において、地面に設置される固定フレームの上部に備えられ、シート型ＦＰＣＢが安着するように上部に安着溝が形成され、安着溝の表面には複数のエアー孔が形成される真空チャック；前記真空チャックの下部側に設置され、複数のエアー孔に真空連通されて安着溝上のエアーを吸入して、シート型ＦＰＣＢを安着溝の表面に吸着させるエアー吸入手段；前記真空チャックの下部側に設置され、複数のエアー孔に真空連通して安着溝上でエアーを排出してシート型ＦＰＣＢを安着溝の表面で脱着させるエアー排出手段；前記真空チャックの側部に設置される距離調節台に連結されて距離調節台上で移動する移動体；前記移動体に連結設置されて真空チャックの上部に安着するシート型ＦＰＣＢの上部に位置され、複数のエアー排出孔が形成されてシート型ＦＰＣＢの上部でエアーを排出しながら順次移動しながら真空チャックの安着溝にシート型ＦＰＣＢを密着させるエアーブロワー；を含んで構成されることを特徴とする順次密着できる構造を有するシート型ＦＰＣＢ自動真空吸脱着装置を提供する。
【発明の効果】
【００１０】
本発明に係る順次密着できる構造を有するシート型ＦＰＣＢ自動真空吸脱着装置は、エアー吸入手段とエアー排出手段が形成された真空チャック及び真空チャックの上部にエアーを排出するエアーブロワーを順次移動するように設置することによって、シート型ＦＰＣＢの安着手段として用いられる真空チャックにシート型ＦＰＣＢをローラで押すように自動で完全密着するように吸着させることができ、脱着も容易なメリットがある。
【図面の簡単な説明】
【００１１】
【図１】本発明に係る順次密着できる構造を有するシート型ＦＰＣＢ自動真空吸脱着装置の斜視図である。
【図２】本発明に係る真空チャックの斜視図である。
【図３】本発明に係るエアー吸入手段及びエアー排出手段の構成が分かる側面図である。
【図４】本発明に係るエアーブロワーの構成が分かる側面図である。
【図５】図４における要部の拡大断面図である。
【発明を実施するための形態】
【００１２】
本発明を実施するための具体的な内容を添付図を参照してより詳細に説明する。
【００１３】
図１乃至図５を参照すると、本発明に係る順次密着できる構造を有するシート型ＦＰＣＢ自動真空吸脱着装置は、シート型ＦＰＣＢ２の電気的性能検査前段階として、シート型ＦＰＣＢを吸脱着させる真空吸脱着装置において、真空チャック１０、エアー吸入手段２０、エアー排出手段３０、移動体４０及びエアーブロワー５０で構成される。
【００１４】
前記真空チャック１０は、シート型ＦＰＣＢ２を安着させるための構成であり、地面に設置される固定フレーム５上の上部に具備設置され、シート型ＦＰＣＢ２が安着するようにその上部に安着溝１２が形成され、安着溝１２の表面にはエアーが移動するエアー孔１４が縦横配列で複数形成される。
【００１５】
前記エアー孔１４を介して移動するエアーによってシート型ＦＰＣＢ２が真空チャック１０の表向きに脱付着されるようになるもので、前記エアー孔１４は微細孔で形成するのがよく、この時、微細孔の大きさは０．０１〜０．５ｍｍ程度で形成されるのが好ましい。
【００１６】
前記微細孔の直径が０．０１ｍｍ以下の場合、エアーが移動し難く、直径が０．５ｍｍ以上の場合、エアーの移動断面積が広くて検査台の表面にシート型ＦＰＣＢ２の密着時シート型ＦＰＣＢ２の表面が微細孔に挿入されて検査時最適状態の平らな形態にならない恐れがある。
【００１７】
また、エアー孔１４が形成されている真空チャック１０は、通常金属材で形成されるが、本発明では、シート型ＦＰＣＢ２と脱付着し易くなるようにセラミック材で形成した。
【００１８】
前記真空チャック１０の下部側には前記エアー孔１４を介してエアーを吸入するエアー吸入手段２０を設置する。
エアー吸入手段２０は、真空チャック１０の下部側に設置されて真空チャック１０の安着溝１２表面周囲のエアーを吸入することによって、シート型ＦＰＣＢ２が安着溝１２に密着されるようにするものである。
【００１９】
この時、エアー吸入手段２０は、一つで設置するのではなく、縦横配列で形成されたエアー孔１４に相応するように複数で設置して、順次エアーを吸入するように構成する。
【００２０】
その一実施形態として、図２及び図３のように本発明におけるエアー吸入手段２０は、１２個で形成され、複数のエアー孔１４に真空連通設置されて時間差を置いて作動させて順次安着溝１２上のエアーを吸入してシート型ＦＰＣＢ２を安着溝１２の表面上に密着するように吸着させることによって、従来ローラを用いて順次密着させた工程を自動化させながらも密着不良な完璧な密着状態になるようにした。
【００２１】
前記エアー吸入手段２０を利用してシート型ＦＰＣＢ２を安着溝１２上に密着させた後、検査台(図示せず)に移動して検査工程が終わると、安着溝１２上でシート型ＦＰＣＢ２を脱着させるべきであるが、この時には逆に真空チャック１０の下部側に設置されたエアー排出手段３０を利用してエアーを排出させることによって、シート型ＦＰＣＢ２がスムーズかつ順次脱着できるようにする。
【００２２】
前記エアー排出手段３０の構成は、前述したエアー吸入手段２０と同様である。但し、動作が逆に行われるように構成される。
再度説明すると、エアー排出手段３０は、複数のエアー孔１４に真空連通されて安着溝１２上でエアーを排出して、シート型ＦＰＣＢ２を安着溝１２の表面で脱着させることになる。
【００２３】
前記エアー吸入手段２０とエアー排出手段３０は、図４のように一つの単一ホースに一体連結されて選択的に作動し、さらに、エアー吸入手段２０とエアー排出手段３０を個別に構成してもよいが、一つの装置で構成してもよい。
【００２４】
一方、エアー吸入手段２０でシート型ＦＰＣＢ２を安着溝１２上に密着させる時、さらに確実な密着性を維持するために、シート型ＦＰＣＢ２の上部を順次通るように図１、図４及び図５のようにエアーブロワー５０を備える。
【００２５】
前記エアーブロワー５０は、前記真空チャック１０の側部に設置される距離調節台４２に連結されて距離調節台４２上で移動される移動体４０に連結設置され、真空チャック１０の上部に安着するシート型ＦＰＣＢ２の上部に位置され、複数のエアー排出孔５２が形成されてシート型ＦＰＣＢ２の上部でエアーを排出しながら順次移動しながらシート型ＦＰＣＢ２を真空チャック１０の安着溝１２に完全密着させるように構成される。
【００２６】
この時、未説明符号４５はモーター、５５はエアー供給手段である。
【符号の説明】
【００２７】
２        シート型ＦＰＣＢ
５        固定フレーム
１０      真空チャック
１２      安着溝
１４      エアー孔
２０      エアー吸入手段
３０      エアー排出手段
４０      移動体
４２      距離調節台
５０      エアーブロワー
５２      エアー排出孔
【要約】
【課題】シート型ＦＰＣＢの検査前段階でＦＰＣＢが真空チャックに完全密着されるようにする順次密着できる構造を有する自動真空吸脱着装置を提供する。
【解決手段】真空チャックの下部側に設置され、複数のエアー孔に真空連通して安着溝上のエアーを吸入して、シート型ＦＰＣＢを安着溝の表面に吸着させるエアー吸入手段；真空チャックの下部側に設置され、複数のエアー孔に真空連通して安着溝上でエアーを排出して、ＦＰＣＢを安着溝の表面で脱着させるエアー排出手段；真空チャックの側部に設置される距離調節台に連結されて距離調節台上で移動する移動体；移動体に連結設置されて、真空チャックの上部に安着するＦＰＣＢの上部に位置され、複数のエアー排出孔が形成されて、ＦＰＣＢの上部でエアーを排出しながら順次移動しながら真空チャックの安着溝にＦＰＣＢを密着させるエアーブロワー；を含む自動真空吸脱着装置。
【選択図】図１【図１】
0005250147.tif 000002
【図２】
0005250147.tif 000003
【図３】
0005250147.tif 000004
【図４】
0005250147.tif 000005
【図５】
0005250147.tif 000006